(57)【要約】      （修正有）【課題】モータ等の設備軸に設けられたセンサのケース内に一旦滲入してしまった水分による悪影響を防止する、センサ用耐湿構造を提供する。【解決手段】センサ用耐湿構造は、防水ケース２内に交換可能な乾燥手段３が設けられている構成とする。これにより、オイルシールやＯリングといった防水策を備えてもなお吸引される（滲入する）僅かな水分を、有効に吸着し、水分によって内蔵センサ１が劣化することを防止、抑制することができる。乾燥手段３の設置位置は特に限定されないが、図示するように端子台４上に設けるものとすることができる。【選択図】図１
2018155512.tif 000002
【特許請求の範囲】
【請求項１】
センサを内蔵する防水ケース内に滲入した水分を吸湿してセンサの劣化を抑制する構造であって、該防水ケース内に交換可能な乾燥手段が設けられていることを特徴とする、センサ用耐湿構造。
【請求項２】
前記乾燥手段は乾燥剤であることを特徴とする、請求項１に記載のセンサ用耐湿構造。
【請求項３】
前記乾燥手段を収容する乾燥手段収容部が設けられていることを特徴とする、請求項１または２に記載のセンサ用耐湿構造。
【請求項４】
センサを内蔵する防水ケース内に滲入した水分を吸湿してセンサの劣化を抑制する構造であって、該防水ケース内に、交換可能な乾燥手段を収容するための乾燥手段収容部が設けられていることを特徴とする、センサ用耐湿構造。
【請求項５】
前記センサが角度検出センサ、または速度検出センサであることを特徴とする、請求項１ないし４のいずれかに記載のセンサ用耐湿構造。
【請求項６】
請求項１ないし４のいずれかに記載のセンサ用耐湿構造を備えていることを特徴とする、角度検出センサ。
【請求項７】
請求項１ないし４のいずれかに記載のセンサ用耐湿構造を備えていることを特徴とする、速度検出センサ。
【発明の詳細な説明】
【技術分野】
【０００１】
本発明はセンサ用耐湿構造、角度検出センサ、および速度検出センサに係り、特に、耐湿性を考慮した角度センサ等に関するものである。
【背景技術】
【０００２】
モータを初め、動力装置、製造装置、発電装置など軸を備えた各種装置・設備には、角度検出センサあるいは速度検出センサが設けられる。特に湿度の高い環境で使用される場合、これらのセンサは、オイルシールやＯリングを使用した防水ケース内に内蔵され、湿度の影響を極力軽減するようにして用いられる。
【先行技術文献】
【特許文献】
【０００３】
【特許文献１】特開２００７−２４６０７号公報「焦電センサ」
【発明の概要】
【発明が解決しようとする課題】
【０００４】
しかし、オイルシールやＯリングで防水策を講じても、高湿度環境においては、温度変化を繰り返すことによって、僅かずつではあるが蒸気や水分を内部に吸引してしまう。そして、一度吸引された水分は、逆に、外部には排出し難くなり、内部に留まり、溜まってしまう。それにより、内蔵センサの劣化を招く場合がある。
【０００５】
従来、外部からの水分滲入を防止する種々の対策を施した製品はあるが、しかし、一旦滲入した水分に関しての対策は採られていない。そこで本発明が解決しようとする課題は、かかる従来技術の問題点をなくし、設備軸に設けられたセンサのケース内に一旦滲入してしまった水分による悪影響を防止することを可能とする、センサ用耐湿構造を提供することである。
【課題を解決するための手段】
【０００６】
本願発明者は上記課題について検討した結果、防水ケース内に交換可能な乾燥剤を設置することで、内部に吸引されて外部に排出できなくなった水分を、乾燥剤を用い吸水し、内蔵センサの水分による劣化を防止、抑制できることを見出し、これに基づいて本発明を完成するに至った。すなわち、上記課題を解決するための手段として本願で特許請求される発明、もしくは少なくとも開示される発明は、以下の通りである。
【０００７】
〔１〕  センサを内蔵する防水ケース内に滲入した水分を吸湿してセンサの劣化を抑制する構造であって、該防水ケース内に交換可能な乾燥手段が設けられていることを特徴とする、センサ用耐湿構造。
〔２〕  前記乾燥手段は乾燥剤であることを特徴とする、〔１〕に記載のセンサ用耐湿構造。
〔３〕  前記乾燥手段を収容する乾燥手段収容部が設けられていることを特徴とする、〔１〕または〔２〕に記載のセンサ用耐湿構造。
【０００８】
〔４〕  センサを内蔵する防水ケース内に滲入した水分を吸湿してセンサの劣化を抑制する構造であって、該防水ケース内に、交換可能な乾燥手段を収容するための乾燥手段収容部が設けられていることを特徴とする、センサ用耐湿構造。
〔５〕  前記センサが角度検出センサ、または速度検出センサであることを特徴とする、〔１〕ないし〔４〕のいずれかに記載のセンサ用耐湿構造。
〔６〕  〔１〕ないし〔４〕のいずれかに記載のセンサ用耐湿構造を備えていることを特徴とする、角度検出センサ。
〔７〕  〔１〕ないし〔４〕のいずれかに記載のセンサ用耐湿構造を備えていることを特徴とする、速度検出センサ。
【発明の効果】
【０００９】
本発明のセンサ用耐湿構造、角度検出センサ、および速度検出センサは上述のように構成されるため、これらによれば、ケース内部に吸引されて外部に排出できなくなった水分を、乾燥手段を用いて吸水することで、内蔵センサの水分による劣化を防止、抑制することができる。乾燥手段は交換可能な仕様に構成されるため、定期的な交換などによって、ケース内を常に良好な乾燥状態に維持することが容易に行える。
【００１０】
なお、前傾特許文献１には、人体検出用赤外線センサ等に用いる焦電センサにおいて、乾燥剤をスペーサとして用いることにより、長期間のうちの透湿・吸湿による感度・性能低下を防止する技術が開示されている。しかし本願発明は、モータその他の設備軸に用いられる角度検出センサや速度検出センサに係る発明であり、技術分野は全く相違する。本技術分野において、長期間に亘る装置・設備内部の湿度環境変化に着目した先行例はなく、本発明は産業上利用性が高い。
【図面の簡単な説明】
【００１１】
【図１】本発明センサ用耐湿構造の構成例を示す側断面視の説明図である。
【図２】本発明センサ用耐湿構造の別の構成例を示す側断面視の説明図である。
【図３】図２のＡ−Ａ矢視断面図である。
【発明を実施するための形態】
【００１２】
以下、図面により本発明を詳細に説明する。
図１は、本発明センサ用耐湿構造の構成例を示す側断面視の説明図である。図示するように本センサ用耐湿構造は、センサ１を内蔵する防水ケース２内に滲入した水分を吸湿してセンサ１の劣化を抑制するための構造であって、防水ケース２内に交換可能な乾燥手段３が設けられていることを、主たる構成とする。これにより、オイルシールやＯリングといった防水策を備えてもなお吸引される（滲入する）僅かな水分を、有効に吸着し、水分によって内蔵センサ１が劣化することを防止、抑制することができる。乾燥手段３の設置位置は特に限定されないが、図示するように端子台４上に設けるものとすることができる。
【００１３】
交換可能な乾燥手段３としては、適宜の乾燥剤を用いることができる。乾燥剤は、防水ケース２内に収容、設置できるものであれば、その化学的組成、剤形、包装形態、サイズなどには一切限定されない。たとえば、製品名アルプシート（東海化学工業所製）、タイベック（登録商標、デュポン製）、ドライキーパー（登録商標、古河電工パワーシステムズ製）、ドライヤーン（登録商標）シートＣ／シートＳ（山仁薬品製）、ベルサニー（登録商標、ビーエステクノ製）、制御盤フィルターII（橋本クロス製）等を好適に用いることができる。
【００１４】
乾燥剤は、これを防水ケース２内の端子台４など適所に、貼着して設置してもよい。乾燥剤交換時は、貼着箇所から剥がし取り、新しい乾燥剤を再度貼着する。かかる方式の場合は、貼着と剥離の繰り返しが生じるため、確実な貼着ができるとともに剥離も容易であるような種類の接着剤を用いることに加え、乾燥剤の剤形・サイズとしては、より軽量なもの、より小さいものが望ましい。製品例として挙げた乾燥剤の中には名刺サイズのものもあるが、そのようなサイズ・重量のものが望ましい。
【００１５】
しかし、より望ましくは、貼着によらず交換可能な方式とすることである。
図２は、本発明センサ用耐湿構造の別の構成例を示す側断面視の説明図である。また、図３は図２のＡ−Ａ矢視断面図である。これらに示すように本センサ用耐湿構造は、防水ケース２２内に乾燥手段を収容する乾燥手段収容部２６が設けられ、それに乾燥手段（図示せず）が収容されている構成とすることができる。乾燥手段収容部２６は、図示する例のように端子台２４上に設置するものとすることができる。設置方法は、ネジ固定、接着など適宜の方法でよい。また、後付けではなく、端子台自体が初めから乾燥手段収容部を備えた形態に成形されたものであってもよい。
【００１６】
乾燥手段収容部２６は、収容すべき乾燥手段の外形に適合する形状に形成され、かつ、内部における乾燥手段の収容有無・収容状態が外から容易に確認できるよう、窓部２７が設けられている構成とすることができる。もちろん、本発明に係る乾燥手段収容部が図示する構成、仕様に限定されるものではなく、要するに、最低限、乾燥手段を収容できるとともに、交換時にはこれを取出し、新しい乾燥手段に替えられるものであればよい。また、窓部２７を設けることも必須ではない。
【００１７】
かかる構成により図示する例では、乾燥手段は乾燥手段収容部２６の乾燥手段収容口２８から入れられ、窓部２７を通して、内部の乾燥手段の有無や状態を確認することができる。なお乾燥手段収容部は、特定の外形・サイズを有する乾燥手段専用の形態としてもよいし、複数の外形・サイズに適用可能な形態としてもよい。また、吸湿程度・吸湿性能変化を目視できる乾燥剤を用いる場合、窓部２７のように適宜形態の窓部が設けられている構成は、乾燥手段の交換時期を判断するのに便利である。また、透明または半透明な材質により形成された乾燥手段収容部とすることで同目的を達成できるため、この場合、窓部設置は敢えて不要となる。
【００１８】
また、乾燥手段収容部の内部に乾燥手段が収容されていない状態であっても、本発明の範囲内である。つまり、図の例では、センサ２１を内蔵する防水ケース２２内に滲入した水分を吸湿してセンサ２１の劣化を抑制する構造であって、防水ケース２２内に、交換可能な乾燥手段を収容するための乾燥手段収容部２６が設けられているセンサ用耐湿構造である。
【００１９】
本発明では特に、センサとして角度検出センサ、速度検出センサが想定されているが、これに限定されるものではない。なおまた、以上説明したセンサ用耐湿構造を備ええた角度検出センサ、速度検出センサ、その他のセンサも、本発明の範囲内である。
【産業上の利用可能性】
【００２０】
本発明のセンサ用耐湿構造、角度検出センサ、および速度検出センサによれば、ケース内部に吸引されて外部に排出できなくなった水分による内蔵センサの劣化を有効かつ実用性高く防止、抑制することができる。したがって、モータを初めとする設備軸を有する装置・設備の製造分野、使用分野、および関連する全分野において、産業上利用性が高い発明である。
【符号の説明】
【００２１】
１、２１…センサ
２、２２…防水ケース
３…乾燥手段
４、２４…端子台
５、２５…後蓋
９、２９…軸
２６…乾燥手段収容部
２７…窓部
２８…乾燥手段収容口
【図１】
2018155512.tif 000003
【図２】
2018155512.tif 000004
【図３】
2018155512.tif 000005